(57)【要約】      （修正有）【課題】傾斜手摺のガタツキを抑制するとともに、傾斜手摺の上端を鉛直面に固定する部材の緩みを抑制することができる上端固定金物を提供する。【解決手段】上端固定金物１は、階段又は傾斜路に設けられる傾斜手摺３の上端面１９を鉛直面４に固定する上端固定金物１であって、傾斜手摺３の下面２０に固定される手摺接続片７と、鉛直面４に固定される鉛直面接続片９と、を有する固定金物本体６と、手摺接続片７を傾斜手摺３の下面２０に固定する手摺側固定手段と、鉛直面接続片９を鉛直面４に固定する鉛直面側固定手段１０と、を備え、手摺接続片７と鉛直面接続片９とが成す角度は、傾斜手摺３の下面２０と鉛直面４とが成す角度以下であり、鉛直面接続片９を鉛直面４に固定する際に、折曲部１１は、その弾性変形によって、傾斜手摺３の勾配に応じた角度に広がる。【選択図】図７
2016108888.tif 000002
【特許請求の範囲】
【請求項１】
階段又は傾斜路に設けられる傾斜手摺の上端面を鉛直面に固定する上端固定金物であって、
弾性板材を折り曲げた側面視略Ｖ字状に形成され、折曲部を挟んで、前記傾斜手摺の下面に固定される手摺接続片と、前記鉛直面に固定される鉛直面接続片と、を有する固定金物本体と、
前記手摺接続片を前記傾斜手摺の下面に固定する手摺側固定手段と、
前記鉛直面接続片を前記鉛直面に固定する鉛直面側固定手段と、を備え、
前記手摺接続片と前記鉛直面接続片とが成す角度は、前記傾斜手摺の下面と前記鉛直面とが成す角度以下であり、
前記手摺接続片を前記傾斜手摺の下面に固定するとともに、前記鉛直面接続片を前記鉛直面に固定する際に、前記折曲部は、当該折曲部の弾性変形によって、前記傾斜手摺の勾配に応じた角度に広がることを特徴とする上端固定金物。
【請求項２】
前記鉛直面側固定手段は、前記鉛直面に固定される平板状のプレートと、前記プレートから前記鉛直面と反対側に突き出したボルト部とを有し、
前記手摺接続片を前記傾斜手摺の下面に固定した後、前記鉛直面接続片に設けられた固定孔にボルト部を挿入させて、ナットで締め付けることにより、前記鉛直面接続片を前記鉛直面側固定手段を介して前記鉛直面に固定することを特徴とする請求項１に記載の上端固定金物。
【請求項３】
勾配の異なる複数の傾斜手摺の上端を前記鉛直面に固定可能な上端固定金物であって、
前記手摺接続片と前記鉛直面接続片とが成す角度は、前記複数の傾斜手摺のうち最も急勾配の前記傾斜手摺の下面と、前記鉛直面とが成す角度以下であることを特徴とする請求項１又は請求項２に記載の上端固定金物。
【発明の詳細な説明】
【技術分野】
【０００１】
本発明は、階段又は傾斜路に設けられる傾斜手摺の上端を鉛直面に固定する上端固定金物に関する。
【背景技術】
【０００２】
従来より階段や傾斜路に設けられる傾斜手摺は、その端部を親柱や間仕切壁などの鉛直面に固定する構造のものが知られている（例えば特許文献１）。しかし、傾斜した手摺の端部を鉛直面に固定する場合には、固定するための部材を目立たないように固定することは困難な場合も多かった。特許文献１では、手摺端部にフランジを設けて、このフランジを親柱にネジ固定しているが、固定するための部材であるフランジが手摺の外観上目立っている。
【０００３】
そこで、手摺の上端部の下面に鋭角な側面視略Ｖ字の手摺固定用金物の一辺を固定し、他辺を鉛直面に固定する構造が考えられる。この手摺固定用金物は、手摺の下側に隠れることになるので、階段等を昇降する人からはほとんど見えず、手摺などの意匠性を阻害しない。
【先行技術文献】
【特許文献】
【０００４】
【特許文献１】特開２００４−１８３３４６号公報
【発明の概要】
【発明が解決しようとする課題】
【０００５】
しかし、鋭角な手摺固定金物は、ビス孔位置に工具が入り難く、鉛直面に対して垂直にビス等を固定することが困難であるので、締め付けが甘くなり、部材間の接合が弱くなるおそれがある。そこで、工具が入りやすいように、ビス孔の位置を折曲部から離すと、折曲部とビスとの間の金物が変形しやすくなり、手摺のガタツキが発生しやすくなる。また、外力が作用する折曲部から離反することになるので、ビスに加わる外力が大きくなり、ビス等の緩みやガタツキが発生するおそれがある。
【０００６】
そこで、本発明は、傾斜手摺のガタツキを抑制するとともに、傾斜手摺の上端を鉛直面に固定する部材の緩みを抑制することができる上端固定金物を提供することを目的とする。
【課題を解決するための手段】
【０００７】
本発明の上端固定金物は、階段又は傾斜路に設けられる傾斜手摺の上端面を鉛直面に固定する上端固定金物であって、弾性板材を折り曲げた側面視略Ｖ字状に形成され、折曲部を挟んで、前記傾斜手摺の下面に固定される手摺接続片と、前記鉛直面に固定される鉛直面接続片と、を有する固定金物本体と、前記手摺接続片を前記傾斜手摺の下面に固定する手摺側固定手段と、前記鉛直面接続片を前記鉛直面に固定する鉛直面側固定手段と、を備え、前記手摺接続片と前記鉛直面接続片とが成す角度は、前記傾斜手摺の下面と前記鉛直面とが成す角度以下であり、前記手摺接続片を前記傾斜手摺の下面に固定するとともに、前記鉛直面接続片を前記鉛直面に固定する際に、前記折曲部は、当該折曲部の弾性変形によって、前記傾斜手摺の勾配に応じた角度に広がることを特徴としている。
【０００８】
好ましくは、上端固定金物は、前記鉛直面側固定手段は、前記鉛直面に固定される平板状のプレートと、前記プレートから前記鉛直面と反対側に突き出したボルト部とを有し、前記手摺接続片を前記傾斜手摺の下面に固定した後、前記鉛直面接続片に設けられた固定孔にボルト部を挿入させて、ナットで締め付けることにより、前記鉛直面接続片を前記鉛直面側固定手段を介して前記鉛直面に固定することを特徴としている。
【０００９】
より好ましくは、上端固定金物は、勾配の異なる複数の傾斜手摺の上端を前記鉛直面に固定可能な上端固定金物であって、前記手摺接続片と前記鉛直面接続片とが成す角度は、前記複数の傾斜手摺のうち最も急勾配の前記傾斜手摺の下面と、前記鉛直面とが成す角度以下であることを特徴としている。
【発明の効果】
【００１０】
本発明の上端固定金物によると、固定金物本体が折曲部を挟んで、手摺接続片と鉛直面接続片とを有する側面視略Ｖ字状に形成されており、しかも、手摺接続片と鉛直面接続片とが成す角度は、傾斜手摺の下面と鉛直面とが成す角度以下であるので、手摺接続片を傾斜手摺の下面に固定し、鉛直面接続片を鉛直面に固定する際に、折曲部は、その弾性変形によって、傾斜手摺の勾配に応じた角度に広がって固定されることになり、この折曲部の弾性応力により、傾斜手摺は、鉛直面に接近する方向に付勢されることになる。したがって、階段等を昇降する人が傾斜手摺を掴んで引き抜き方向に力が加わったとしても、傾斜手摺の変位が抑制され、部材同士の接合部の緩みやガタツキが抑制される。また、固定金物本体が弾性変形できるので、傾斜手摺に加わる衝撃を吸収することができ、接合部などに加わる外力を軽減できる。
【００１１】
また、本発明の好ましい形態の上端固定金物によると、鉛直面側固定手段が、鉛直面に固定される平板状のプレートと、プレートから鉛直面と反対側に突き出したボルト部とを有している。そして、固定金物本体の手摺接続片を傾斜手摺の下面に固定して、傾斜手摺に固定金物本体を固定した後、固定金物本体の鉛直面接続片に設けられた固定孔にボルト部を挿入させて、ナットで締め付けることにより、鉛直面側固定手段を介して鉛直面接続片を鉛直面に固定できる。したがってスパナなどの工具を側方から挿入して、ナットを締め付けることにより、傾斜手摺の上端を鉛直面に固定することができるので、十分に締め付けることができるとともに、ボルト部とナットの固定位置を折曲部に近づけることができるので、鉛直面接続片の変形を抑制できる。また、折曲部に近い位置を固定することで、ボルト及びナットに加わる外力が大きくなることを抑制でき、ナットの緩みやガタツキの発生を抑制できる。
【００１２】
また、より好ましい形態の上端固定金物によると、当該上端固定金物は、勾配の異なる複数の傾斜手摺の上端を前記鉛直面に固定可能に構成されており、折曲部の角度は、複数の傾斜手摺のうち最も急勾配の傾斜手摺の下面と、鉛直面とが成す角度以下であるので、折曲部の角度を弾性変形により広げて調整することで、様々な勾配の傾斜手摺に汎用することができる。
【図面の簡単な説明】
【００１３】
【図１】固定金物本体の外観構成を示す斜視図。
【図２】鉛直面側固定手段の外観構成を示す斜視図。
【図３】鉛直面側固定手段を鉛直面に固定する状態を示す斜視図。
【図４】固定金物本体を傾斜手摺の下面に固定する状態を説明する斜視図。
【図５】固定金物本体を傾斜手摺の下面に固定した状態を示す斜視図。
【図６】鉛直面側固定手段に傾斜手摺が固定された固定金物本体を固定する状態を説明する斜視図。
【図７】鉛直面側固定手段のボルト部にナットを締結して鉛直面接続片をプレートに当接させる前後の状態を示す図。
【図８】階段の側部に設けられる傾斜手摺の全体構成を示す図。
【図９】より傾斜の緩やかな傾斜手摺を鉛直面に固定する状態を説明するために、鉛直面側固定手段のボルト部にナットを締結して鉛直面接続片をプレートに当接させる前後の状態を示す図。
【発明を実施するための形態】
【００１４】
以下、本発明に係る上端固定金物１の最良の実施形態について各図を参照しつつ説明する。上端固定金物１は、図８に示すように、階段２の側部に設けられ、階段２を昇降する人の転落防止などを目的とした傾斜手摺３の上端を鉛直面４に固定するものである。傾斜手摺３は、中間部を子柱５で支持しており、上端が鉛直面４に固定されている。傾斜手摺３の設置箇所は、階段２に限られず、スロープなどの傾斜路に設けられるものであってもよい。また、鉛直面４は、例えば、柱、腰壁、間仕切壁などのように鉛直に立設されている部材の傾斜手摺３の上端面１９に対向する面であり、傾斜手摺３の上端面１９が固定される面をいう。また、傾斜手摺３の下端も例えば親柱に固定されるものであってもよい。なお、ここで傾斜手摺３の上端面１９とは、本実施形態においては、傾斜手摺３の長手方向の上側の端面をいう。
【００１５】
まず、上端固定金物１の構成について説明する。上端固定金物１は、図７に示すように、側面視略Ｖ字状に形成された固定金物本体６と、固定金物本体６の手摺接続片７を傾斜手摺３の下面２０に固定する手摺側固定手段８と、固定金物本体６の鉛直面接続片９を鉛直面４に固定する鉛直面側固定手段１０とを備えている。なお、傾斜手摺３の下面２０とは、傾斜手摺３の傾斜している面のうち、下側の面をいう。
【００１６】
固定金物本体６は、弾性を有する金属板材によって形成されており、固定金物本体６の材料としては、例えば板バネとして用いることができる鋼材が好適である。固定金物本体６は、図１に示すように、板材を折り曲げて側面視略Ｖ字状に形成され、折曲部１１を挟んで、傾斜手摺３の下面２０に固定される手摺接続片７と、鉛直面４に固定される鉛直面接続片９と、を有している。手摺接続片７は、矩形平板状であり、傾斜手摺３の下面２０に固定するためのビス孔７１が４箇所に設けられている。
【００１７】
鉛直面接続片９は、図１に示すように、後述する鉛直面側固定手段１０に設けられたボルト部１２を挿入可能なボルト孔９１が３箇所に設けられている。また、鉛直面接続片９は両側縁にそれぞれ切欠部９２が設けられており、図４に示すように、切欠部９２を設けることで傾斜手摺３の下面２０に手摺接続片７を固定する際に、ビス１３及びビス１３を揉むためのドライバーなどの工具を傾斜手摺３の下面２０に対して略垂直に押し当てることができる。なお、鉛直面接続片９は、ドライバーなどの工具を手摺接続片７のビス孔７１に向かって押し当てることができる形状であればよいので、切欠部９２に替えて工具を挿入できる長孔を設けるものであってもよい。
【００１８】
折曲部１１は、固定金物本体６を折り曲げた位置であり、この折曲部１１の弾性変形により、手摺接続片７と鉛直面接続片９との成す角を広げることができる。手摺接続片７と鉛直面接続片９との成す角度は、傾斜手摺３の下面２０と鉛直面４とが成す角度以下になるように形成されており、傾斜手摺３を鉛直面４に固定する際に、折曲部１１の弾性変形により、手摺接続片７と鉛直面接続片９との成す角度が広がって、傾斜手摺３の下面２０と鉛直面４を互いに連結させている。
【００１９】
手摺側固定手段８は、４本のビス１３で構成されている。図４に示すように、傾斜手摺３の下面２０に設けられた金物固定溝１４に手摺接続片７を当接させた状態で、手摺接続片７に設けられたビス孔７１にビス１３を挿入し、当該傾斜手摺３の下面２０にビス１３を打ち込んで固定する。なお、手摺側固定手段８はビス１３に限定されるものではなく、傾斜手摺３の下面２０に固定金物本体６の手摺接続片７を固定できる構成であれば如何なる構成のものであってもよい。
【００２０】
鉛直面側固定手段１０は、図２に示すように、鉛直面４に固定されるプレート１５と、プレート１５から鉛直面４と反対側に突き出したボルト部１２とを有している。プレート１５は、矩形平板状であって、鉛直面側固定手段１０を鉛直面４に固定するためのビス挿入孔１６が４隅に設けられている。ボルト部１２は、ねじ切られた円柱形状であり、プレート１５側の端部がプレート１５にかしめ固定されている。これらボルト部１２にはそれぞれ固定金物本体６を固定するためのナット１７が用意されており、ボルト部１２を固定金物本体６の鉛直面接続片９に設けられたボルト孔９１に挿入して、ナット１７を締結することで、鉛直面接続片９を鉛直面側固定手段１０に固定できる。
【００２１】
次に、傾斜手摺３の上端を鉛直面４に固定する工程について説明する。傾斜手摺３の上端を鉛直面４に固定する際には、まず、傾斜手摺３を設置する階段２を設けて、傾斜手摺３を設置する位置決めを行う。そして、当該位置決めにしたがって、鉛直面４に鉛直面側固定手段１０を固定する。具体的には、図３に示すように、鉛直面側固定手段１０のプレート１５を鉛直面４に当接させて、当該プレート１５に設けられている４箇所のビス挿入孔１６にビス１８を挿入し、鉛直面４にビス１８を打ち込んで固定する。
【００２２】
次に、図４及び図５に示すように、傾斜手摺３の上端の下面２０に設けられた金物固定溝１４に固定金物本体６の手摺接続片７を当接させて、手摺接続片７に設けられているビス孔７１に手摺側固定手段８としてのビス１３を挿入して、傾斜手摺３の下面２０に当該ビス１３を打ち込んで固定する。
【００２３】
このようにして、鉛直面側固定手段１０を鉛直面４に固定し、固定金物本体６を傾斜手摺３の下面２０に固定した状態で、次に、図６に示すように、鉛直面側固定手段１０のボルト部１２を鉛直面接続片９に設けられたボルト孔９１に挿入する。なお、図６では、図示の都合上、傾斜手摺３を一点鎖線で示し、傾斜手摺３の奥に隠れている固定金物本体６の一部を図面上に示している。固定金物本体６の手摺接続片７と鉛直面接続片９とが成す角度は、傾斜手摺３の下面２０と鉛直面４とが成す角度以下であるので、図７（Ａ）に示すように、傾斜手摺３の上端面１９を鉛直面４に当接させたときに、固定金物本体６の鉛直面接続片９は、折曲部１１と反対側の端部が、鉛直面側固定手段１０から離れた位置に配置される。この状態のときに、鉛直面側固定手段１０のボルト部１２にナット１７を螺合させて、締め付けることにより、折曲部１１が弾性変形によって広がり、鉛直面接続片９と鉛直面側固定手段１０のプレート１５とが当接し、図７（Ｂ）に示すように、傾斜手摺３の上端が鉛直面４に固定される。
【００２４】
このように、折曲部１１が、その弾性変形によって、傾斜手摺３の勾配に応じた角度に広がって固定されることになり、この折曲部１１の弾性応力により、傾斜手摺３の下面２０は、鉛直面４に接近する方向に付勢される。したがって、階段２等を昇降する人が傾斜手摺３を掴んで引き抜き方向に力が加わったとしても、傾斜手摺３の上端部における変位が抑制され、部材同士の接合部の緩みやガタツキが抑制される。また、固定金物本体６が弾性変形できるので、傾斜手摺３に加わる衝撃を吸収することができ、鉛直面側固定手段１０と鉛直面４とを固定するビス１８や傾斜手摺３と手摺接続片７とを固定するビス１３等に加わる外力を軽減できる。
【００２５】
また、鉛直面接続片９と鉛直面側固定手段１０との固定がボルト部１２及びナット１７による接合であるので、スパナなどの工具を側方から挿入して固定することができる。したがって、鉛直面側固定手段１０を介さずに鉛直面接続片９を直接鉛直面４にビス等を用いて固定する場合に比べて、容易で確実な締め付けが可能となっている。すなわち、鉛直面接続片９を直接鉛直面４にビスで固定する場合には、傾斜手摺３が邪魔になってビスを鉛直面４に対して垂直に打ち込むことが困難であり、接合強度が弱くなるが、本実施形態のように、ボルト部１２及びナット１７による接合とすることで、十分な接合強度を保つことができる。
【００２６】
しかも、鉛直面接続片９を直接鉛直面４にビスで固定するような場合には、鉛直面接続片９における折曲部１１から離れた位置にしかビス固定できないが、本実施形態の上端固定金物１においては、ボルト部１２とナット１７の固定位置を折曲部１１に近づけることができるので、鉛直面接続片９の変形を抑制でき、また、折曲部１１に近い位置を固定することで、ボルト及びナット１７に加わる外力が大きくなることを抑制でき、ナット１７の緩みやガタツキの発生を抑制できる。
【００２７】
なお、本実施形態の上端固定金物１は、図９に示すように、より緩やかな傾斜の傾斜手摺３の上端を固定することもできる。すなわち、傾斜がより緩やかな場合には、折曲部１１がより大きく広がることで、鉛直面接続片９を鉛直面側固定手段１０に当接させることができ、傾斜手摺３の上端を鉛直面４に当接することができる。
【００２８】
したがって、本実施形態の上端固定金物１は、勾配の異なる複数の傾斜手摺３の上端を鉛直面４に固定可能である。そして、手摺接続片７と鉛直面接続片９とが成す角度は、複数の傾斜手摺３のうち最も急勾配の傾斜手摺３の下面２０と、鉛直面４とが成す角度以下であることが好ましい。このように構成すれば、折曲部１１の角度を弾性変形により広げて調整することで、様々な勾配の傾斜手摺３に汎用することができるとともに、いずれの勾配のときにも傾斜手摺３の下面２０を鉛直面４側に接近する方向に付勢することができ、傾斜手摺３の上端部における変位が抑制され、部材同士の接合部の緩みやガタツキが抑制できる。
【００２９】
なお、本発明において、固定金物本体６の手摺接続片７と鉛直面接続片９とが成す角度は、傾斜手摺３の下面２０と、鉛直面４とが成す角度以下であり、これによって、傾斜手摺３の上端面１９を鉛直面４に固定するときには、折曲部１１の角度が狭まる方向に弾性変形することが無いので、傾斜手摺３の下面２０が鉛直面４から離れる方向に付勢されること無く傾斜手摺３の上端面１９を鉛直面４に固定することができるが、固定金物本体６の手摺接続片７と鉛直面接続片９とが成す角度が、傾斜手摺３の下面２０と、鉛直面４とが成す角度未満である場合には、傾斜手摺３の下面２０が鉛直面４に接近する方向に必ず付勢されるのでより好適である。
【００３０】
なお、本発明の実施の形態は上述の形態に限ることなく、本発明の思想の範囲を逸脱しない範囲で適宜変更することができることは云うまでもない。
【産業上の利用可能性】
【００３１】
本発明に係る上端固定金物１は、例えば住宅の階段２における傾斜手摺３の上端を固定する上端固定金物１として、好適に用いることができる。
【符号の説明】
【００３２】
１      上端固定金物
２      階段
３      傾斜手摺
４      鉛直面
６      固定金物本体
７      手摺接続片
８      手摺側接続手段
９      鉛直面接続片
１０    鉛直面側固定手段
１１    折曲部
１２    ボルト部
１５    プレート
２０    下面
【図１】
2016108888.tif 000003
【図２】
2016108888.tif 000004
【図３】
2016108888.tif 000005
【図４】
2016108888.tif 000006
【図５】
2016108888.tif 000007
【図６】
2016108888.tif 000008
【図７】
2016108888.tif 000009
【図８】
2016108888.tif 000010
【図９】
2016108888.tif 000011